(57)【特許請求の範囲】
【請求項１】
無線通信システムにおける第１のｅＮＢ（evolved NodeB）によるＤ２Ｄ（device-to-device）転送のための資源プールを指示する方法であって、
前記第１のｅＮＢによって、Ｄ２Ｄ転送のための前記第１のｅＮＢの資源プールに関する情報を第２のｅＮＢに転送することと、
前記第１のｅＮＢによって、Ｄ２Ｄ転送のための前記第２のｅＮＢの資源プールに関する情報を前記第２のｅＮＢから受信することと、を備え、
前記資源プールがＦＤＤ（frequency division duplex）フレーム構造用である場合、前記資源プールに関する情報は、前記資源プールの周期、前記Ｄ２Ｄ転送に対して割り当てられた資源ブロックの個数、前記Ｄ２Ｄ転送に対して割り当てられたサブフレームの個数及び前記Ｄ２Ｄ転送に対して割り当てられたＤ２Ｄ転送領域を含み、
前記資源プールがＴＤＤ（time division duplex）フレーム構造用である場合、
前記資源プールがＵＬ（uplink）−ＤＬ（downlink）構成番号に依存する時、前記資源プールに関する情報は、前記資源プールの周期、ＵＬ−ＤＬ構成番号、前記Ｄ２Ｄ転送に対して割り当てられたサブフレームの個数、前記Ｄ２Ｄ転送に対して割り当てられた無線フレームの個数及び前記Ｄ２Ｄ転送に対して割り当てられたＤ２Ｄ転送領域を含み、
前記資源プールがＵＬ−ＤＬ構成番号に依存しない時、前記資源プールに関する情報は、前記資源プールの周期、ＵＬ転送用に予約された連続したＵＬサブフレームの個数、前記Ｄ２Ｄ転送に対して割り当てられた無線フレームの個数及び前記Ｄ２Ｄ転送に対して割り当てられた前記Ｄ２Ｄ転送領域を含むことを特徴とする、方法。
【請求項２】
前記第１のｅＮＢによって、前記第２のｅＮＢから、Ｄ２Ｄ転送のための前記第１のｅＮＢの前記資源プールに関する情報の要求を示す指示を受信することをさらに備えることを特徴とする、請求項１に記載の方法。
【請求項３】
Ｄ２Ｄ転送のための前記第１のｅＮＢの前記資源プールに関する情報は、前記受信した指示に応答して、前記第２のｅＮＢに転送されることを特徴とする、請求項２に記載の方法。
【請求項４】
前記第１のｅＮＢによって、前記第２のｅＮＢに対して、Ｄ２Ｄ転送のための前記第２のｅＮＢの前記資源プールに関する情報の要求を示す指示を転送することをさらに備えることを特徴とする、請求項１乃至３のいずれかに記載の方法。
【請求項５】
Ｄ２Ｄ転送のための前記第２のｅＮＢの前記資源プールに関する情報は、前記転送された指示に応答して前記第２のｅＮＢから受信されることを特徴とする、請求項４に記載の方法。
【請求項６】
前記Ｄ２Ｄ転送領域は、ＰＵＳＣＨ（physical uplink shared channel）領域からガード領域を除外した領域であることを特徴とする、請求項１乃至５のいずれかに記載の方法。
【請求項７】
前記Ｄ２Ｄ転送は、Ｄ２Ｄ探索またはＤ２Ｄ通信のうち、少なくとも１つを含むことを特徴とする、請求項１に記載の方法。
【請求項８】
前記資源プールに関する情報は、前記Ｄ２Ｄ探索のための資源を割り当てるための前記Ｄ２Ｄ探索の各タイプ別に構成されることを特徴とする、請求項７に記載の方法。
【請求項９】
前記資源プールに関する情報は、前記Ｄ２Ｄ通信のための資源を割り当てるための前記Ｄ２Ｄ通信の各モード別に構成されることを特徴とする、請求項７に記載の方法。
【請求項１０】
前記資源プールに関する情報は、Ｘ２設定要請メッセージ、Ｘ２設定応答メッセージ、またはｅＮＢ構成アップデートメッセージのうちの１つを通じて転送または受信されることを特徴とする、請求項１に記載の方法。
【請求項１１】
前記資源プールに関する情報は、負荷情報メッセージを通じて転送または受信されることを特徴とする、請求項１に記載の方法。
【請求項１２】
前記負荷情報メッセージは、前記資源プールに関する情報の要請を指示する呼び出し指示（invoke indication）ＩＥ（information element）を含むことを特徴とする、請求項１１に記載の方法。
【請求項１３】
前記資源プールに関する情報は、資源状態アップデートメッセージを通じて転送または受信されることを特徴とする、請求項１に記載の方法。
【請求項１４】
無線通信システムにおけるＤ２Ｄ（device-to-device）転送のための資源プールを指示するように構成される第１のｅＮＢ（evolved NodeB）であって、
無線信号を転送または受信するように構成されるＲＦ（radio frequency）部と、
前記ＲＦ部と連結されるプロセッサとを含み、かつ、
前記プロセッサは、
前記第１のｅＮＢによって、第２のｅＮＢに対して、Ｄ２Ｄ転送のための前記第１のｅＮＢの資源プールに関する情報を転送し、
前記第１のｅＮＢによって、前記第２のｅＮＢから、Ｄ２Ｄ転送のための前記第２のｅＮＢの資源プールに関する情報を受信するように構成され、
前記資源プールがＦＤＤ（frequency division duplex）フレーム構造用である場合、前記資源プールに関する情報は、前記資源プールの周期、前記Ｄ２Ｄ転送に対して割り当てられた資源ブロックの個数、前記Ｄ２Ｄ転送に対して割り当てられたサブフレームの個数及び前記Ｄ２Ｄ転送に対して割り当てられたＤ２Ｄ転送領域を含み、
前記資源プールがＴＤＤ（time division duplex）フレーム構造用である場合、
前記資源プールがＵＬ（uplink）−ＤＬ（downlink）構成番号に依存する時、前記資源プールに関する情報は、前記資源プールの周期、ＵＬ−ＤＬ構成番号、前記Ｄ２Ｄ転送に対して割り当てられたサブフレームの個数、前記Ｄ２Ｄ転送に対して割り当てられた無線フレームの個数及び前記Ｄ２Ｄ転送に対して割り当てられたＤ２Ｄ転送領域を含み、
前記資源プールがＵＬ−ＤＬ構成番号に依存しない時、前記資源プールに関する情報は、前記資源プールの周期、ＵＬ転送用に予約された連続したＵＬサブフレームの個数、前記Ｄ２Ｄ転送に対して割り当てられた無線フレームの個数及び前記Ｄ２Ｄ転送に対して割り当てられた前記Ｄ２Ｄ転送領域を含むことを特徴とする、第１のｅＮＢ。
【発明の詳細な説明】
【技術分野】
【０００１】
本発明は無線通信に関し、より詳しくは、無線通信システムにおけるＤ２Ｄ（device-to-device）資源に関する情報を転送する方法及び装置に関する。
【背景技術】
【０００２】
ＵＭＴＳ（universal mobile telecommunications system）は、ヨーロッパ システム（European system）、ＧＳＭ（global system for mobile communica tions）、及びＧＰＲＳ（general packet radio services）に基づいてＷＣＭＤＡ （wideband code division multiple access）で動作する３世代（3rd genera tion）非同期（asynchronous）移動通信システムである。ＵＭＴＳのＬＴＥ （long-term evolution）がＵＭＴＳを標準化する３ＧＰＰ（3rd generation partnership project）により議論中である。
【０００３】
３ＧＰＰ ＬＴＥは、高速パケット通信を可能にするための技術である。ＬＴＥ目標であるユーザと事業者の費用節減、サービス品質向上、カバレッジ拡張及びシステム容量増大のために多くの方式が提案された。３ＧＰＰＬＴＥは、上位レベル必要条件として、ビット当たり費用節減、サービス有用性向上、周波数バンドの柔軟な使用、簡単な構造、開放型インタフェース及び端末の適切な電力消費を要求する。
【０００４】
図１は、ＬＴＥシステムの構造を示す。通信ネットワークは、ＩＭＳ及びパケットデータを介したインターネット電話(Voice over internet protocol：ＶｏＩＰ)のような多様な通信サービスを提供するために広く設置される。
【０００５】
図１を参照すると、ＬＴＥシステム構造は、１つ以上の端末（ＵＥ）１０、Ｅ−ＵＴＲＡＮ（evolved-UMTS terrestrial radio access network）及びＥＰＣ （evolved packet core）を含む。端末１０は、ユーザにより動く通信装置 である。端末１０は、固定されてもよいし、移動性を有してもよく、ＭＳ（mobile station）、ＵＴ（user terminal）、ＳＳ（subscriber station）、無線機器 （wireless device）等、他の用語で呼ばれることもある。
【０００６】
Ｅ−ＵＴＲＡＮは１つ以上のｅＮＢ（evolved node-B）２０を含み、１つのセルに複数のＵＥが存在することができる。ｅＮＢ２０は制御平面（control plane）とユーザ平面（user plane）の終端点をＵＥに提供する。ｅＮＢ２０は一般的にＵＥ１０と通信する固定された地点（fixed station）をいい、ＢＳ（base station）、アクセスポイント（access point）など、他の用語で呼ばれることがある。１つのｅＮＢ２０はセル毎に配置できる。
【０００７】
以下、ＤＬはｅＮＢ２０からＵＥ１０への通信を意味し、ＵＬはＵＥ１０からｅＮＢ２０への通信を意味する。ＤＬで送信機はｅＮＢ２０の一部であり、受信機はＵＥ１０の一部でありうる。ＵＬで送信機はＵＥ１０の一部であり、受信機はｅＮＢ２０の一部でありうる。
【０００８】
ＥＰＣはＭＭＥ（mobility management entity）とＳ−ＧＷ（system architecture evolution（SAE）gateway）を含む。ＭＭＥ／Ｓ−ＧＷ３０はネットワークの終端に位置し、外部ネットワークと連結できる。明確性のためにＭＭＥ／Ｓ−ＧＷ３０は“ゲートウェイ”と単純に表現し、これはＭＭＥ及びＳ−ＧＷを全て含むことができる。
【０００９】
ＭＭＥはｅＮＢ２０へのＮＡＳ（non-access stratum）シグナリング、ＮＡＳシグナリング保安、ＡＳ（access stratum）保安制御、３ＧＰＰアクセスネットワーク間の移動性のためのｉｎｔｅｒＣＮ（core network）ノードシグナリング、アイドルモード端末到達可能性（ページング再転送の制御及び実行含み）、トラッキング領域リスト管理（アイドルモード及び活性化モードであるＵＥのために）、Ｐ−ＧＷ（PDN（packet data network）gateway）及びＳ−ＧＷ選択、ＭＭＥ変更と共にハンドオーバーのためのＭＭＥ選択、２Ｇまたは３Ｇ３ＧＰＰアクセスネットワークへのハンドオーバーのためのＳＧＳＮ（serving GPRS support node）選択、ローミング、認証、専用ベアラ設定を含んだベアラ管理機能、ＰＷＳ（public warning system：地震／津波警報システム（ＥＴＷＳ）、及び常用モバイル警報システム（ＣＭＡＳ）含み）メッセージ転送サポートなどの多様な機能を提供する。Ｓ−ＧＷホストは、ユーザ別基盤パケットフィルタリング（例えば、深層パケット検査を通じて）、合法的遮断、端末ＩＰ（internet protocol）アドレス割当、ＤＬで転送レベルパッキングマーキング、ＵＬ／ＤＬサービスレベル課金、ゲーティング及び等級強制、ＡＰＮ−ＡＭＢＲ（access point name aggregate maximum bit rate）に基づいたＤＬ等級強制の各種の機能を提供する。
【００１０】
ユーザトラフィック転送または制御トラフィック転送のためのインターフェースが使用できる。ＵＥ１０及びｅＮＢ２０は、Ｕｕインターフェースにより連結される。ｅＮＢ２０はＸ２インターフェースにより相互間連結される。隣り合うｅＮＢ２０はＸ２インターフェースによる網型ネットワーク構造を有することができる。複数のノードはｅＮＢ２０とゲートウェイ３０との間にＳ１インターフェースを介して連結できる。
【００１１】
図２は、一般的なＥ−ＵＴＲＡＮ及びＥＰＣの構造のブロック図である。図２を参照すると、ｅＮＢ２０はゲートウェイ３０に対する選択、ＲＲＣ（radio resource control）活性（activation）の間ゲートウェイ３０へのルーティング（routing）、ページングメッセージのスケジューリング及び転送、ＢＣＨ（broadcast channel）情報のスケジューリング及び転送、ＵＬ及びＤＬからＵＥ１０への資源の動的割当、ｅＮＢ測定の設定（configuration）及び提供（provisioning）、無線ベアラ制御、ＲＡＣ（radio admission control）及びＬＴＥ活性状態で連結移動性制御機能を遂行することができる。前述したように、ゲイウェイ３０はＥＰＣでページング開始、ＬＴＥアイドル状態管理、ユーザ平面の暗号化、ＳＡＥベアラ制御及びＮＡＳシグナリングの暗号化と無欠性保護機能を遂行することができる。
【００１２】
図３は、ＬＴＥシステムのユーザ平面プロトコルスタック及び制御平面プロトコルスタックのブロック図である。図３−（ａ）はＬＴＥシステムのユーザ平面プロトコルスタックのブロック図であり、図３−（ｂ）はＬＴＥシステムの制御平面プロトコルスタックのブロック図である。ＵＥとＥ−ＵＴＲＡＮとの間の無線インターフェースプロトコルの階層は通信システムで広く知られたＯＳＩ（open system interconnection）モデルの下位３個階層に基づいて、Ｌ１（第１階層）、Ｌ２（第２階層）、及びＬ３（第３階層）に区分される。
【００１３】
物理階層（ＰＨＹ；physical layer）はＬ１に属する。物理階層は物理チャンネルを介して上位階層に情報転送サービスを提供する。物理階層は上位階層であるＭＡＣ（media access control）階層と転送チャンネル（transport channel）を介して連結される。物理チャンネルは、転送チャンネルにマッピングされる。転送チャンネルを介してＭＡＣ階層と物理階層との間にデータが転送される。互いに異なる物理階層の間、即ち送信機の物理階層と受信機の物理階層との間にデータは物理チャンネルを介して転送される。
【００１４】
ＭＡＣ階層、ＲＬＣ（radio link control）階層、及びＰＤＣＰ（packet data convergence protocol）階層はＬ２に属する。ＭＡＣ階層は、論理チャンネル（logical channel）を介して上位階層であるＲＬＣ階層にサービスを提供する。ＭＡＣ階層は、論理チャンネル上のデータ転送サービスを提供する。ＲＬＣ階層は、信頼性あるデータ転送をサポートする。一方、ＲＬＣ階層の機能はＭＡＣ階層の内部の機能ブロックで具現されることができ、この際、ＲＬＣ階層は存在しないこともある。ＰＤＣＰ階層は、相対的に帯域幅の小さい無線インターフェース上でＩＰｖ４またはＩＰｖ６のようなＩＰパケットを導入して転送されるデータが効率良く転送されるように不要な制御情報を減らすヘッダー圧縮機能を提供する。
【００１５】
ＲＲＣ（radio resource control）階層は、Ｌ３に属する。Ｌ３の最も下端 部分に位置するＲＲＣ階層はただ制御平面のみで定義される。ＲＲＣ階層は、ＲＢ（radio bearer）などの設定（configuration）、再設定（re-configuration）、及び解除（release）と関連して論理チャンネル、転送チャンネル、及び物理チャンネルなどの制御を担当する。ＲＢは、ＵＥとＥ−ＵＴＲＡＮとの間のデータ転送のためにＬ２により提供されるサービスを意味する。
【００１６】
図３−（ａ）を参照すると、ＲＬＣ及びＭＡＣ階層（ネットワーク側におけるｅＮＢで終了）は、スケジューリング、ＡＲＱ及びＨＡＲＱのような機能を遂行することができる。ＰＤＣＰ階層（ネットワーク側におけるｅＮＢで終了）は、ヘッダー圧縮、無欠性保護、及び暗号化のようなユーザ平面機能を遂行することができる。
【００１７】
図３−（ｂ）を参照すると、ＲＬＣ／ＭＡＣ階層（ネットワーク側におけるｅＮＢで終了）は、制御平面のために同一な機能を遂行することができる。ＲＲＣ階層（ネットワーク側におけるｅＮＢで終了）は、放送、ページング、ＲＲＣ連結管理、ＲＢ制御、移動性機能、及びＵＥ測定報告及び制御のような機能を遂行することができる。ＮＡＳ制御プロトコル（ネットワーク側におけるゲートウェイのＭＭＥで終了）は、ＳＡＥベアラ管理、認証、ＬＴＥ＿ＩＤＬＥ移動性管理、ＬＴＥ＿ＩＤＬＥにおけるページング開始、及びゲートウェイとＵＥとの間のシグナリングのための保安制御などの機能を遂行することができる。
【００１８】
図４は、物理チャンネル構造の一例を示す。物理チャンネルは、無線資源を通じてＵＥの物理階層とｅＮＢの物理階層との間のシグナリング及びデータを転送する。物理チャンネルは、時間領域で複数のサブフレームと周波数領域で複数の副搬送波で構成される。１ｍｓである１つのサブフレームは、時間領域で複数のシンボルで構成される。該当サブフレームの特定シンボル、例えばサブフレームの第１のシンボルはＰＤＣＣＨのために使用できる。ＰＤＣＣＨは、ＰＲＢ（physical resource block）及びＭＣＳ（modulation and coding schemes）のように動的に割り当てられた資源を運ぶことができる。
【００１９】
ＤＬ転送チャンネルは、システム情報を転送するために使われるＢＣＨ（broadcast channel）、ＵＥをページングするために使われるＰＣＨ（paging channel）、ユーザトラフィックまたは制御信号を転送するために使われるＤＬ−ＳＣＨ（downlink shared channel）、マルチキャストまたはブロードキャストサービス転送のために使われるＭＣＨ（multicast channel）などを含む。ＤＬ−ＳＣＨは、ＨＡＲＱ、変調、コーディング及び転送電力の変化による動的リンク適応及び動的／半静的資源割当をサポートする。また、ＤＬ−ＳＣＨはセル全体にブロードキャスト及びビームフォーミングの使用を可能にすることができる。
【００２０】
ＵＬ転送チャンネルは、一般的にセルへの初期接続のために使われるＲＡＣＨ（random access channel）、ユーザトラフィック、または制御信号を転送するために使われるＵＬ−ＳＣＨ（uplink shared channel）などを含む。ＵＬ−ＳＣＨは、ＨＡＲＱ及び転送電力及び潜在的な変調及びコーディングの変化による動的リンク適応をサポートする。また、ＵＬ−ＳＣＨはビームフォーミングの使用を可能にすることができる。
【００２１】
論理チャンネルは、転送される情報の種類によって、制御平面の情報伝達のための制御チャンネルとユーザ平面の情報伝達のためのトラフィックチャンネルに分類される。即ち、論理チャンネルタイプの集合はＭＡＣ階層により提供される互いに異なるデータ転送サービスのために定義される。
【００２２】
制御チャンネルは、制御平面の情報伝達のみのために使われる。ＭＡＣ階層により提供される制御チャンネルは、ＢＣＣＨ（broadcast control channel）、ＰＣＣＨ（paging control channel）、ＣＣＣＨ（common control channel）、ＭＣＣＨ（multicast control channel）、及びＤＣＣＨ（dedicated control channel）を含む。ＢＣＣＨは、システム制御情報を放送するためのＤＬチャンネルである。ＰＣＣＨは、ページング情報の転送のためのＤＬチャンネルであり、ネットワークがＵＥのセル単位の位置を知らない時に使われる。ＣＣＣＨは、ネットワークとＲＲＣ連結を有しない時、ＵＥにより使われる。ＭＣＣＨは、ネットワークからＵＥにＭＢＭＳ（multimedia broadcast multicast services）制御情報を転送するために使われる一対多のＤＬチャンネルである。ＤＣＣＨは、ＵＥとネットワークとの間に専用制御情報転送のためにＲＲＣ連結を有するＵＥにより使われる一対一の両方向チャンネルである。
【００２３】
トラフィックチャンネルは、ユーザ平面の情報伝達のみのために使われる。ＭＡＣ階層により提供されるトラフィックチャンネルは、ＤＴＣＨ（dedicated traffic channel）及びＭＴＣＨ（multicast traffic channel）を含む。ＤＴＣＨは一対一のチャンネルであって、１つのＵＥのユーザ情報の転送のために使われて、ＵＬ及びＤＬ全てに存在することができる。ＭＴＣＨは、ネットワークからＵＥにトラフィックデータを転送するための一対多のＤＬチャンネルである。
【００２４】
論理チャンネルと転送チャンネルとの間のＵＬ連結は、ＵＬ−ＳＣＨにマッピングできるＤＣＣＨ、ＵＬ−ＳＣＨにマッピングできるＤＴＣＨ、及びＵＬ−ＳＣＨにマッピングできるＣＣＣＨを含む。論理チャンネルと転送チャンネルとの間のＤＬ連結は、ＢＣＨまたはＤＬ−ＳＣＨにマッピングできるＢＣＣＨ、ＰＣＨにマッピングできるＰＣＣＨ、ＤＬ−ＳＣＨにマッピングできるＤＣＣＨ、ＤＬ−ＳＣＨにマッピングできるＤＴＣＨ、ＭＣＨにマッピングできるＭＣＣＨ、及びＭＣＨにマッピングできるＭＴＣＨを含む。
【００２５】
ＲＲＣ状態はＵＥのＲＲＣ階層がＥ−ＵＴＲＡＮのＲＲＣ階層と論理的に連結されているか否かを指示する。ＲＲＣ状態は、ＲＲＣ連結状態（ＲＲＣ＿ＣＯＮＮＥＣＴＥＤ）及びＲＲＣアイドル状態（ＲＲＣ＿ＩＤＬＥ）のように２種類に分けられる。ＲＲＣ＿ＩＤＬＥで、ＵＥがＮＡＳにより設定されたＤＲＸ（discontinuous reception）を指定する間に、ＵＥはシステム情報及びページング情報の放送を受信することができる。そして、ＵＥはトラッキング領域でＵＥを固有に指定するＩＤ（identification）の割当を受けて、ＰＬＭＮ（public land mobile network）選択及びセル再選択を遂行することができる。またＲＲＣ＿ＩＤＬＥで、いかなるＲＲＣコンテクストもｅＮＢに格納されない。
【００２６】
ＲＲＣ＿ＣＯＮＮＥＣＴＥＤで、ＵＥはＥ−ＵＴＲＡＮでＥ−ＵＴＲＡＮ ＲＲＣ連結及びコンテクストを有して、ｅＮＢにデータを転送及び／又はｅＮＢからデータを受信することが可能である。また、ＵＥはｅＮＢにチャンネル品質情報及びフィードバック情報を報告することができる。ＲＲＣ＿ＣＯＮＮＥＣＴＥＤで、Ｅ−ＵＴＲＡＮはＵＥが属したセルを知ることができる。したがって、ネットワークはＵＥにデータを転送及び／又はＵＥからデータを受信することができ、ネットワークはＵＥの移動性（ハンドオーバー及びＮＡＣＣ（network assisted cell change）を通じてのＧＥＲＡＮ（GSM EDGE radio access network）でｉｎｔｅｒ−ＲＡＴ（radio access technology）セル変更指示）を制御することができ、ネットワークは隣り合うセルのためにセル測定を遂行することができる。
【００２７】
ＲＲＣ＿ＩＤＬＥで、ＵＥはページングＤＲＸ周期を指定する。具体的に、ＵＥはＵＥ特定ページングＤＲＸ周期毎の特定ページング機会（paging occasion）にページング信号をモニターする。ページング機会は、ページング信号が転送される間の時間区間である。ＵＥは、自分だけのページング機会を有している。ページングメッセージは、同一なトラッキング領域（ＴＡ；tracking area）に属する全てのセル上に転送される。ＵＥが１つのＴＡから他のＴＡに移動すれば、ＵＥは自身の位置をアップデートするためにネットワークにＴＡＵ（tracking area update）メッセージを転送することができる。
【００２８】
最近、互いに近接しているＵＥ間の通信サービスを提供することができる近接−基盤サービス（ＰｒｏＳｅ）をサポートしようとする関心が高まっている。このような新たな関心は、ソーシャルネットワーキングアプリケーション及び大部分がローカル化したトラフィックであるセルラー帯域に対する急増するデータ要求及びアップリンク周波数帯域の正しく活用できないことなどにより主に起因する幾つかの要因をその同期とする。３ＧＰＰは第１応答者により使われる、公共安全ネットワークに対する競争的なブロードバンド通信技術がＬＴＥになるようにするためにＬＴＥｒｅｌ−１２でＰｒｏＳｅの可用性を目標としている。レガシー問題及び予算制約によって、現在の公共安全ネットワークは相変らず主に古い２Ｇ技術に基づいた反面に、商業的なネットワークは速かにＬＴＥに移動している。このような進化の差及び改善されたサービス要求は、既存の公共安全ネットワークをアップグレードしようとする全世界的な試みに繋がった。商業的ネットワークに比べて、公共安全ネットワークは非常に一層厳格なサービス要件（例えば、信頼性及び保安性）を有し、また直接通信を、特にセルラーカバレッジが失敗するか、または可用しない時に要求する。このような本質的な直接モード特徴は、現在ＬＴＥでは逃したところである。
【００２９】
論文“Study on LTE Device to Device Proximity Services-Radio Aspects”では、３ＧＰＰ ＬＴＥは近接するＵＥを探索しようとするＤ２Ｄ（device-to-device）探索、及び近接するＵＥと直接的に通信するためのＤ２Ｄ通信を議論した。Ｄ２Ｄ探索及び／又はＤ２Ｄ通信のための資源が新しく規定できる。したがって、隣接したｅＮＢにＤ２Ｄ資源を知らせる方法が要求できる。
【発明の概要】
【発明が解決しようとする課題】
【００３０】
本発明は、無線通信システムにおけるＤ２Ｄ（device-to-device）資源に関する情報を転送する方法及び装置に関するものである。本発明は、隣り合うｅＮＢ（evolved NodeBs）にＤ２Ｄ資源を指示する方法を提供する。本発明は、Ｄ２Ｄのための資源プールに関する情報を表現する方法を提供する。
【課題を解決するための手段】
【００３１】
一態様において、無線通信システムにおける第１のｅＮＢ（evolved Node B）によるＤ２Ｄ（device-to-device）転送のための資源プールを指示する方法が提供される。前記方法は、Ｄ２Ｄ転送のための前記第１のｅＮＢの資源プールに関する情報を転送し、及びＤ２Ｄ転送のための第２のｅＮＢの資源プールに関する情報を受信することを含む。
【００３２】
他の態様において、無線通信システムにおけるＤ２Ｄ（device-to-device）転送のための資源プールを指示するように構成される第１のｅＮＢ（evolved Node B）が提供される。前記第１のｅＮＢは、無線信号を転送または受信するように構成されるＲＦ（radio frequency）部、及び前記ＲＦ部と連結されるプロセッサを含む。前記プロセッサは、Ｄ２Ｄ転送のための前記第１のｅＮＢの資源プールに関する情報を転送し、及びＤ２Ｄ転送のための第２のｅＮＢの資源プールに関する情報を受信するように構成される。
【発明の効果】
【００３３】
ｅＮＢが隣り合う基地局のＤ２Ｄ資源を知ることができる。
【図面の簡単な説明】
【００３４】
【図１】ＬＴＥシステムの構造を示す。
【図２】一般的なＥ−ＵＴＲＡＮ及びＥＰＣの構造のブロック図である。
【図３】ＬＴＥシステムのユーザ平面プロトコルスタック及び制御平面プロトコルスタックのブロック図である。
【図４】物理チャンネル構造の一例を示す。
【図５】Ｄ２Ｄ ＰｒｏＳｅに対するシナリオを図示する。
【図６】Ｄ２Ｄ ＰｒｏＳｅに対するシナリオを図示する。
【図７】Ｄ２Ｄ ＰｒｏＳｅに対するシナリオを図示する。
【図８】Ｄ２Ｄ ＰｒｏＳｅに対するシナリオを図示する。
【図９】インター−ｅＮＢ Ｄ２Ｄ探索において発生することができる問題の一例を図示する。
【図１０】本発明の実施形態に係るＸ２設定手続の一例を示す。
【図１１】本発明の実施形態に係るｅＮＢ構成アップデート手続の一例を示す。
【図１２】本発明の実施形態に係るＸ２設定手続の他の一例を示す。
【図１３】本発明の実施形態に係るｅＮＢ構成アップデート手続の他の一例を示す。
【図１４】本発明の実施形態に係る１つのサブフレーム内のアップリンク物理チャンネルの一例を示す。
【図１５】本発明の実施形態に係るＸ２設定手続の他の一例を示す。
【図１６】本発明の実施形態に係るｅＮＢ構成アップデート手続の他の一例を示す。
【図１７】本発明の実施形態に係る負荷お知らせ手続の一例を示す。
【図１８】本発明の実施形態に係る資源状態報告開始手続の一例を示す。
【図１９】本発明の実施形態に係る資源状態報告手続の一例を示す。
【図２０】本発明の実施形態に従って各ｅＮＢが相異する無線フレームの開始地点を有する場合の一例を示す。
【図２１】本発明の実施形態が具現される無線通信システムを示す。
【発明を実施するための形態】
【００３５】
以下の技術は、ＣＤＭＡ（code division multiple access）、ＦＤＭＡ（frequency division multiple access）、ＴＤＭＡ（time division multiple access）、ＯＦＤＭＡ（orthogonal frequency division multiple access）、ＳＣ−ＦＤＭＡ（single carrier frequency division multiple access）などのような多様な無線通信システムに使われることが できる。ＣＤＭＡは、ＵＴＲＡ（universal terrestrial radio access）やＣＤ ＭＡ２０００のような無線技術で具現されることができる。ＴＤＭＡは、ＧＳＭ（global system for mobile communications）／ＧＰＲＳ（general packet radio service）／ＥＤＧＥ（enhanced data rates for GSM evolution） のような無線技術で具現されることができる。ＯＦＤＭＡは、ＩＥＥＥ（institute of electrical and electronics engineers）８０２.１１（Ｗｉ− Ｆｉ）、ＩＥＥＥ８０２.１６（ＷｉＭＡＸ）、ＩＥＥＥ８０２.２０、Ｅ−ＵＴＲＡ（evolved UTRA）などのような無線技術で具現されることができる。ＩＥＥＥ８０２.１６ｍは、ＩＥＥＥ８０２.１６ｅの進化であり、ＩＥＥＥ８０２.１６基づくシステムとの後方互換性（backward compatibility）を提供する。ＵＴＲＡは、ＵＭＴＳ（universal mobile telecommunications system）の一部である。３ＧＰＰ（3rd generation partnership project）ＬＴＥ（long term evolution）は、Ｅ−ＵＴＲＡ（evolved-UMTS terrestrial radio access）を使用するＥ−ＵＭＴＳ（evolved UMTS）の一部であり、ダウンリンクでＯＦＤＭＡを採用し、アップリンクでＳＣ−ＦＤＭＡを採用する。ＬＴＥ−Ａ（advanced）は、３ＧＰＰ ＬＴＥの進化である。
説明を明確にするために、ＬＴＥ−Ａを中心に記述するが、本発明の技術的思想がこれに制限されるものではない。
【００３６】
近接サービス（ＰｒｏＳｅ）が記述される。これは、３ＧＰＰ ＴＲ ３６．８４３ Ｖ１．０．０（２０１３−１１）を参考することができる。近接度は所定の近接度基準が満たす時に決定される（“ＵＥ（user equipment）は他のＵＥに近接している”）。近接度の基準は探索及び通信に対して相異することができる。ＰｒｏＳｅは、互いに近接しているＵＥに基づいて３ＧＰＰシステムにより提供できるサービスである。ＰｒｏＳｅ探索は、Ｅ−ＵＴＲＡを使用してＵＥが他のＵＥに近接していることを確認するプロセスである。ＰｒｏＳｅ通信は、２つのＵＥ間で確立されたＥ−ＵＴＲＡＮ通信経路により近接している２つのＵＥ間の通信である。通信経路は、例えばＵＥ間で直接的に確立されるか、またはローカルｅＮＢを介してルーティングできる。ＰｒｏＳｅ−イネーブルされたＵＥはＰｒｏＳｅ探索及び／又はＰｒｏＳｅ通信をサポートするＵＥである。明示的に記述されなければ、ＵＥはＰｒｏＳｅ−イネーブルされたＵＥをいう。ＰｒｏＳｅ−イネーブルされたネットワークは、ＰｒｏＳｅ探索及び／又はＰｒｏＳｅ通信をサポートするネットワークである。明示的に記述されなければ、ネットワークはＰｒｏＳｅ−イネーブルされたネットワークをいう。
【００３７】
ＰｒｏＳｅは他の用語、Ｄ２Ｄ（device-to-device）と称されることができる。以下、ＰｒｏＳｅ及びＤ２Ｄは混用できる。例えば、ＰｒｏＳｅ探索及びＰｒｏＳｅ通信は各々Ｄ２Ｄ探索及びＤ２Ｄ通信と称されることができる。
ＬＴＥ Ｄ２Ｄ近接サービスは＜表１＞で評価できる。
【００３８】
【表１】
0006259125.tif 000002
次の使用の場合は、公共安全（ＰＳ）ＰｒｏＳｅ通信に対するものである：
【００３９】
−  無カバレッジまたは非常に小さなカバレッジ：ネットワークを介して保障された通信は、ローカル環境、ユーザ移動性、または単純なカバレッジ不足による減衰によって達成されないことがある。このような状況で、例えば、建物内、列車内、車両間、郊外環境、地下のような問題となる通信を維持することが優先順位である。
【００４０】
−  フォールバック：これは、例えば、大型自然災害、電力停電、装備故障のような、通常的にカバレッジを有する領域で発生する完全なネットワーク故障が存在する場合に使われる。
【００４１】
−  追加容量：これは、一部の問題となる場合を管理するための追加的容量を提供することに使われる。既存のシステムにおいて、一部の領域で動作できるグループ及びグループメンバーの数を限定する特定システム制約が存在し、これで、直接的に通信できる能力は追加容量、例えば、大型都市地域に対して提供することができる。
−  ローカル通信要件：これは、制御ルームまたはディスパッチにまた接続する必要がない状況で使われる。
【００４２】
Ｄ２Ｄ探索及びＤ２Ｄ通信が記述される。最近、Ｄ２Ｄ探索及びＤ２Ｄ通信は両方ともｅＮＢのアップリンク資源を使用し、フルデュプレックス（full duplex）はＤ２Ｄ送信／受信の間に特定搬送波に対しては使われないことと決定された。
【００４３】
Ｄ２Ｄ探索のために、少なくとも次のような２つのタイプの探索手続が規定される。しかしながら、このような規定事項は説明を明瞭にするために意図されたものであり、本発明の範囲を限定しようとするものでないことが明らかである。
【００４４】
−タイプ１：探索信号送信のための資源がＵＥに特定されない方式により割り当てられる探索手続。資源は全てのＵＥまたはＵＥの全てのグループに対するものでありうる。
【００４５】
−タイプ２：探索信号送信のための資源がＵＥに特定される方式により割り当てられる探索手続。資源は探索信号の各特定送信インスタンスに対して割り当てられるか、または探索信号送信に対して半永久的に割り当てできる。
【００４６】
図５から図８は、Ｄ２Ｄ ＰｒｏＳｅに対するシナリオを図示する。図５から図８を参照すると、ＵＥ１及びＵＥ２はセルのカバレッジの内に／カバレッジの外に位置する。ＵＥ１は送信役割をする時に、ＵＥ１は探索メッセージを転送し、ＵＥ２がこれを受信する。ＵＥ１及びＵＥ２は送信及び受信役割を変えることができる。ＵＥ１からの送信はＵＥ２のような１つ以上のＵＥにより受信できる。＜表２＞は図５から図８に記述された、より詳細なＤ２Ｄシナリオを示す：
【００４７】
【表２】
0006259125.tif 000003
【００４８】
＜表２＞を参照すると、図５に図示されたシナリオは、ＵＥ１及びＵＥ２がカバレッジの外にある場合に対応する。図６に図示されたシナリオは、ＵＥ１がカバレッジの内にあり、ＵＥ２がカバレッジの外にある場合に対応する。図７及び図８に図示されたシナリオは、ＵＥ１及びＵＥ２がカバレッジの内にある場合に対応する。しかしながら、図７に図示されたシナリオはＵＥ１及びＵＥ２が全て単一セルのカバレッジの内にある場合に対応した反面に、図８に図示されたシナリオはＵＥ１及びＵＥ２が各々互いに隣接する多重セルのカバレッジの内にある場合に対応する。
【００４９】
Ｄ２Ｄ通信の場合に、１つのＵＥは近接しているＵＥと通信するために隣接している同期化ソースを探索する。ＵＥがこのソースと同期化を遂行した後、ＵＥは送信するパケットを送信する。ｅＮＢが先に同期化ソースとして選択できる。ｅＮＢが発見されなければ、隣接するＵＥのうち、同期化信号を送信したＵＥが同期化ソースとして選択できる。最近、Ｄ２Ｄ通信のためのアップリンク資源の割当が議論された。Ｄ２Ｄ通信方式は、次の通りである：
−  ユニキャスト通信：２つのＵＥが通信する
−ブロードキャスト通信：１つのＵＥが１つ以上の他のＵＥと通信する
−グループキャスト通信：ＵＥのグループが互いに通信する
−ＵＥ−ＮＷリレー：ネットワークカバレッジの外にあるＵＥがネットワークカバレッジの内にあるＵＥを通じてネットワークと通信する
−ＵＥ−ＵＥリレー：２つのＵＥが（カバレッジの外にあるか、または内にある）他のＵＥを通じて互いに通信する
３ＧＰＰ ＬＴＥｒｅｌ−１２では、前述した多様な通信方式のうち、ただブロードキャスト通信方式のみ考慮できる。
【００５０】
図９は、インター−ｅＮＢ Ｄ２Ｄ探索において発生することができる問題の一例を図示する。図９に図示されたシナリオは、互いに近接している２つのＵＥが各々多重−セルのカバレッジの内にある図８に図示されたシナリオに対応する。
【００５１】
図９を参照すると、ＵＥ１はｅＮＢ Ａセルのカバレッジの内にあり、探索信号を送信する。ＵＥ２は、ｅＮＢ Ｂセルのカバレッジの内にあり、近接しているＵＥ１が送信した探索信号を受信しようと試みる。ｅＮＢＡ及びｅＮＢ Ｂは、Ｄ２Ｄ探索のための無線資源領域（即ち、資源プール）をアップリンク資源領域に各々割り当てる。しかしながら、図９で、ｅＮＢＡの資源プール及びｅＮＢ Ｂの資源プールは互いに相異し、互いに重畳しないと仮定される。資源プールは、特定周期を有することができる。ｅＮＢＡ及びｅＮＢ Ｂが相異する資源プールを割り当てて、他のｅＮＢの資源プールに対する情報を知らずにいると、ｅＮＢＢがｅＮＢ Ａの資源プールの内でｅＮＢＢセルのカバレッジの内にあるＵＥに対するアップリンクをスケジューリングすることができる。また、ｅＮＢＢ上に滞留するＵＥ２がｅＮＢ Ａの資源プールをアップリンク信号のための資源領域として認識できるため、ＵＥ２はＵＥ１の探索信号をアップリンク信号として認識することができる。したがって、ＵＥ２はＵＥ１がＵＥ２に近接してもＵＥ１の探索信号を受信できないことがあり、これで、Ｄ２Ｄ探索は適切に遂行できない。
【００５２】
このような問題を解決するために、本発明の実施形態に従って互いに隣接するｅＮＢにＤ２Ｄ探索のための資源プールに対する情報を知らせるための方法が提案できる。本発明の実施形態に従って、Ｄ２ＤをサポートするｅＮＢは多様な方式及び／又は手続を使用して、互いに隣接するｅＮＢにＤ２Ｄ探索のための資源プールに対する情報を知らせることができる。本発明の実施形態に従って、交換されるＤ２Ｄ探索のための資源プールに対する情報は、多様な方法、例えば、多様な情報要素（ＩＥ；information element）により表現できる。また、本発明の実施形態に従って、Ｄ２ＤをサポートするｅＮＢは多様な方式及び／又は手続を使用して、互いに隣接するｅＮＢにＤ２Ｄ通信のための資源プールに対する情報を知らせることができる。交換されるＤ２Ｄ通信のための資源プールに対する情報は、Ｄ２Ｄ探索のための資源プールに対する情報と同一な形態を有することができるが、互いに相異する命名を有することができる。
【００５３】
以下、説明の利便性のために、Ｄ２Ｄ探索のための資源プールに対する情報を知らせる方法のみ記述されるが、本発明はＤ２Ｄ通信のための資源プールに対する情報を知らせる方法にも同一に適用できることが明らかである。
(1) Ｘ２設定手続及び／又はｅＮＢ構成アップデート手続を使用する方法
【００５４】
互いに隣接するｅＮＢにＤ２Ｄ探索のための資源プールに対する情報を知らせるために、Ｘ２設定手続が使用できる。Ｘ２設定手続の目的は２つのｅＮＢがＸ２インターフェースを介して正しく相互動作することに必要なアプリケーションレベル構成データを交換するためのものである。この手続は、２つのノード内での既存のアプリケーションレベル構成データを削除し、これを受信されたものに取り替える。また、この手続はリセット手続のようにＸ２インターフェースをリセットする。これとは異なり、Ｘ２インターフェースが隣接するｅＮＢ間に存在し、特定ｅＮＢでＤ２Ｄ探索のための資源プールが変更されれば、ｅＮＢ構成アップデート手続が使用できる。ｅＮＢ構成アップデート手続の目的は、２つのｅＮＢがＸ２インターフェースを介して正しく相互動作することに必要とするアプリケーションレベル構成データをアップデートするものである。
【００５５】
Ｘ２設定要請／応答メッセージがＸ２設定手続の間に送信され、ｅＮＢ構成アップデートメッセージは、ｅＮＢ構成アップデート手続の間に送信される。本発明の実施形態に従って、該当メッセージの内で“サービングセル情報ＩＥ（Served Cell Information IE）”は、Ｄ２Ｄ探索のための資源プールを表示することができる。即ち、Ｄ２Ｄ探索のための資源プールを表示するサービングセル情報ＩＥは、Ｘ２設定要請／応答メッセージまたはｅＮＢ構成アップデートメッセージの内に含まれることができる。Ｄ２Ｄ探索のための資源プールは、周波数、時間、周波数及び時間の組み合わせ（例えば、資源ブロック）、サブフレーム、またはこれらの組み合わせにより規定できる。また、Ｄ２Ｄ探索のための資源プールは、ＦＤＤ（frequency division duplex）フレーム構造及びＴＤＤ（time division duplex）フレーム構造に対して相異するように規定できる。
＜表３＞は、本発明の実施形態に係るサービングセル情報ＩＥの一例を示す。
【００５６】
【表３】
0006259125.tif 000004
0006259125.tif 000005
0006259125.tif 000006
0006259125.tif 000007
0006259125.tif 000008
【００５７】
＜表３＞を参照すると、サービングセル情報ＩＥは、ＦＤＤフレーム構造及びＴＤＤフレーム構造に対し、Ｄ２Ｄ探索に対する資源領域を知らせる、“Ｄ２Ｄ資源領域（D2D Resource Area）”ＩＥ、及び“探索資源領域（Discovery Resource Area）”ＩＥを含む。
【００５８】
図１０は、本発明の実施形態に係るＸ２設定手続の一例を示す。ステップＳ１００で、ｅＮＢ１はＸ２設定要請メッセージをｅＮＢ２に転送する。Ｘ２設定要請メッセージは＜表３＞で記述された、Ｄ２Ｄ資源領域ＩＥを含むサービングセル情報を含む。ステップＳ１０１で、ｅＮＢ２はＸ２設定応答メッセージをｅＮＢ１に送信する。Ｘ２設定応答メッセージは＜表３＞で記述された、Ｄ２Ｄ資源領域ＩＥを含むサービングセル情報ＩＥを含むことができる。各ｅＮＢは受信情報に基づいてＤ２Ｄ探索のための資源プールを割り当てることができる。
【００５９】
図１１は、本発明の実施形態に係るｅＮＢ構成アップデート手続の一例を示す。ステップＳ１１０で、ｅＮＢ１はｅＮＢ構成アップデートメッセージをｅＮＢ２に送信する。ｅＮＢ構成アップデートメッセージは＜表３＞で記述された、Ｄ２Ｄ資源領域ＩＥを含むサービングセル情報ＩＥを含むことができる。ステップＳ１１１で、ｅＮＢ２はｅＮＢ構成アップデート確認応答メッセージをｅＮＢ１に送信する。ｅＮＢ２は、Ｄ２Ｄ探索のための資源プールをｅＮＢ１から受信された情報に基づいて割り当てる。
【００６０】
一方、＜表３＞に示されたＤ２Ｄ資源領域ＩＥは単にＤ２Ｄ探索のための資源プールを抽象的に示す。Ｄ２Ｄ探索のための資源プールに対する情報が細部的に記述される。Ｄ２Ｄ探索のための資源プールに対する情報は、Ｄ２Ｄ探索のための資源プールの周期に対する情報を含むことができる。ＦＤＤフレーム構造に対するＤ２Ｄ探索のための資源プールは、資源ブロック及びサブフレーム個数の組み合わせとして表現できる。
【００６１】
ＴＤＤフレーム構造に対するＤ２Ｄ探索のための資源プールは、アップリンク−ダウンリンク構成に依存するか、またはそうでないことがある。＜表４＞は、アップリンク−ダウンリンク構成を示す。
【００６２】
【表４】
0006259125.tif 000009
【００６３】
オプション１の場合、ＴＤＤフレーム構造に対するＤ２Ｄ探索のための資源プールが＜表４＞に示されたアップリンク−ダウンリンク構成に依存すれば、ＴＤＤフレーム構造に対するＤ２Ｄ探索のための資源プールは＜表４＞でのアップリンク−ダウンリンク構成個数、＜表４＞でＤ２Ｄ探索のために使われたサブフレーム個数、及びＰＵＳＣＨ（physical uplink shared channel）領域（これは、資源ブロックの単位で表現できる）の組み合わせとして表現できる。オプション２の場合、ＴＤＤフレーム構造に対するＤ２Ｄ探索のための資源プールが＜表４＞に表れたアップリンク−ダウンリンク構成から独立的であれば、ＴＤＤフレーム構造に対するＤ２Ｄ探索のための資源プールは＜表４＞でのＤ２Ｄ探索のために使われる連続するアップリンクサブフレームの個数及びＰＵＳＣＨ領域（これは、資源ブロックの単位で表現できる）の組み合わせとして表現できる。
【００６４】
Ｄ２Ｄ探索のための資源プールに対する情報を隣接するｅＮＢに知らせるために、Ｘ２設定手続が使用できる。これとは異なり、Ｘ２インターフェースが隣接するｅＮＢ間に存在し、特定ｅＮＢでＤ２Ｄ探索のための資源プールが変更されれば、ｅＮＢ構成アップデート手続が使用できる。本発明の実施形態に従って、対応するメッセージ内の“サービングセル情報ＩＥ”は、Ｄ２Ｄ探索のための資源プールに対する情報を含むことができる。即ち、Ｄ２Ｄ探索のための資源プールに対する情報を含むサービングセル情報ＩＥは、Ｘ２設定要請／応答メッセージ、またはｅＮＢ構成アップデートメッセージ内に含まれることができる。ｅＮＢがＤ２Ｄ探索のための資源を割り当てるためにタイプ１及び／又はタイプ２を使用することができるので、Ｄ２Ｄ探索のための資源プールに対する情報は各タイプ毎に区別されるように表現できる。同様に、ｅＮＢがＤ２Ｄ通信のための資源を割り当てるためにモード１及び／又はモード２を使用することができるので、Ｄ２Ｄ通信のための資源プールに対する情報は各モード毎に区別されるように表現できる。
＜表５＞は、本発明の実施形態に係るサービングセル情報ＩＥの一例を示す。
【００６５】
【表５】
0006259125.tif 000010
0006259125.tif 000011
0006259125.tif 000012
0006259125.tif 000013
0006259125.tif 000014
0006259125.tif 000015
0006259125.tif 000016
0006259125.tif 000017
【００６６】
＜表５＞を参照すると、ＦＤＤフレーム構造に対し、サービングセル情報ＩＥはタイプ１でＤ２Ｄ探索のための資源プールと関連した情報を表示する“Ｄ２Ｄ資源プール１（D2D Resource Pool 1）”ＩＥ、及びタイプ２でＤ２Ｄ探索のための資源プールと関連した情報を表示する“Ｄ２Ｄ資源プール２（D2D Resource Pool 2）”を含む。２つのＩＥは“資源プール周期（Resource Pool Period）”ＩＥ、Ｄ２Ｄ探索のために割り当てられた周波数資源の個数を示す“資源ブロック（ResourceBlock）”ＩＥ、及びＤ２Ｄ探索のために割り当てられた時間資源の個数を示す“サブフレーム個数（Subframe Number）”ＩＥを含む。
【００６７】
また、＜表５＞を参照すると、ＴＤＤフレーム構造に対し、サービングセル情報ＩＥは、ｅＮＢがＤ２Ｄをサポートできる場合、オプション１でＤ２Ｄ探索のための資源プールを示す“サブフレーム割当（Subframe Assignment）”ＩＥを含む。前述したオプション１において、サービングセル情報ＩＥはタイプ１及びオプション１でＤ２Ｄ探索のための資源プールと関連した情報を示す“Ｄ２Ｄ資源プール１（D2D Resource Pool 1）”ＩＥ、及びタイプ２及びオプション１でＤ２Ｄ探索のための資源プールと関連した情報を示す“Ｄ２Ｄ資源プール２のＤ２Ｄ資源プール１（D2D Resource Pool 2）”ＩＥを含む。２つのＩＥは“資源プール周期（Resource Pool Period）”ＩＥ、Ｄ２Ｄ探索のために使われたサブフレーム個数情報を示す“サブフレーム個数（Subframe Number）”ＩＥ、及びＰＵＣＣＨ（physical uplink control channel）を除外した、Ｄ２Ｄ探索のために割り当てられた周波数資源の個数を示す“ＰＵＳＣＨ領域（PUSCH Region）”ＩＥを含む。前述したオプション２において、サービングセル情報ＩＥはタイプ１及びオプション２でＤ２Ｄ探索のための資源プールと関連した情報を示す“Ｄ２Ｄ資源プール１（D2D Resource Pool 1）”ＩＥ、及びタイプ２及びオプション２でＤ２Ｄ探索のための資源プールと関連した情報を示す“Ｄ２Ｄ資源プール２（D2D Resource Pool 2）”ＩＥを含む。２つのＩＥは“資源プール周期（Resource Pool Period）”ＩＥ、アップリンク送信のために予備された隣接したサブフレームの個数を示す“探索サブフレーム（Discovery Subframes）”ＩＥ、及びＰＵＣＣＨを除外した、Ｄ２Ｄ探索のために割り当てられた周波数資源の個数を示す“ＰＵＳＣＨ領域（PUSCH Region）”ＩＥを含む。
【００６８】
図１２は、本発明の実施形態に係るＸ２設定手続の他の一例を示す。ステップＳ２００で、ｅＮＢ１はＸ２設定要請メッセージをｅＮＢ２に送信する。Ｘ２設定要請メッセージは＜表５＞で記述された、Ｄ２Ｄ資源プール１ＩＥまたはＤ２Ｄ資源プール２ ＩＥまたは両ＩＥを含むサービングセル情報ＩＥを含むことができる。ステップＳ２０１で、ｅＮＢ２はＸ２設定応答メッセージをｅＮＢ１に送信する。Ｘ２設定応答メッセージは＜表５＞に記述された、Ｄ２Ｄ資源プール１ＩＥまたはＤ２Ｄ資源プール２ ＩＥまたは両ＩＥを含むサービングセル情報ＩＥを含むことができる。各ｅＮＢはＤ２Ｄ探索のための資源プールを受信情報に基づいて割り当てる。
【００６９】
図１３は、本発明の実施形態に係るｅＮＢ構成アップデート手続の他の一例を示す。ステップＳ２１０で、ｅＮＢ１はｅＮＢ構成アップデートメッセージをｅＮＢ２に送信する。ｅＮＢ構成アップデートメッセージは＜表５＞に記述された、Ｄ２Ｄ資源プール１ＩＥまたはＤ２Ｄ資源プール２ ＩＥ、または両ＩＥを含むサービングセル情報ＩＥを含むことができる。ステップＳ２１１で、ｅＮＢ２はｅＮＢ構成アップデート確認応答メッセージをｅＮＢ１に送信する。ｅＮＢ２はｅＮＢ１から受信された情報に基づいてＤ２Ｄ探索のための資源プールを割り当てることができる。
探索領域が記述される。Ｄ２Ｄ探索のための資源プールにおいて、資源プールが実際に割り当てられる探索領域が新しく規定できる。
【００７０】
図１４は、本発明の実施形態に係る１つのサブフレーム内のアップリンク物理チャンネルの一例を示す。図１４を参照すると、アップリンク物理チャンネルはＰＵＣＣＨ領域及びＰＵＳＣＨ領域に分離され、ＰＵＳＣＨ領域はまたガード領域及び探索領域に分離される。即ち、探索領域はＰＵＳＣＨ領域からガード領域を除外した残りの領域である。ガード領域はＰＵＣＣＨ領域へのインター−セル干渉（ＩＣＩ；inter-cell interference）を避けるための領域である。ＲＲＣ＿ＩＤＬＥにあるＵＥが探索信号をＰＵＳＣＨ領域から送信すれば、ＵＥがタイミングアドバンス（timing advance：ＴＡ）を知らないため、送信タイミングの誤整列によってＩＣＩが発生することがある。
【００７１】
Ｄ２Ｄ探索のための資源プールに対する情報は、Ｄ２Ｄ探索のための資源プールの周期に対する情報を含むことができる。探索領域を使用することによって、ＦＤＤフレーム構造に対するＤ２Ｄ探索のための資源プールは、探索領域、資源ブロック個数、及びサブフレーム個数の組み合わせとして表現できる。
【００７２】
ＴＤＤフレーム構造に対するＤ２Ｄ探索のための資源プールは、＜表４＞に示されたアップリンク−ダウンリンク構成に依存することも、依存しないこともある。オプション１において、ＴＤＤフレーム構造に対するＤ２Ｄ探索のための資源プールがアップリンク−ダウンリンク構成に依存すれば、探索領域を使用することによって、ＴＤＤフレーム構造に対するＤ２Ｄ探索のための資源プールは探索領域、＜表４＞でのアップリンク−ダウンリンク構成個数、＜表４＞でＤ２Ｄ探索のために使われたアップリンクサブフレーム個数、及びＤ２Ｄ探索のために使われた無線フレームの個数の組み合わせとして表現できる。オプション２において、ＴＤＤフレーム構造に対するＤ２Ｄ探索のための資源プールが＜表４＞に示されたアップリンク−ダウンリンク構成に独立的であれば、ＴＤＤフレーム構造に対するＤ２Ｄ探索のための資源プールは探索領域、＜表４＞でＤ２Ｄ探索のために使われた連続するアップリンクサブフレームの個数、Ｄ２Ｄ探索のために使われた無線フレームの個数の組み合わせとして表現できる
＜表６＞は、本発明の実施形態に係るサービングセル情報ＩＥの一例を示す：
【００７３】
【表６】
0006259125.tif 000018
0006259125.tif 000019
0006259125.tif 000020
0006259125.tif 000021
0006259125.tif 000022
0006259125.tif 000023
0006259125.tif 000024
0006259125.tif 000025
0006259125.tif 000026
【００７４】
＜表６＞を参照すると、ＦＤＤフレーム構造において、サービスされるセル情報ＩＥはタイプ１でＤ２Ｄ探索のための資源プールと関連した情報を示す“探索資源プール１（Discovery Resource Pool 1）”ＩＥ、及びタイプ２でＤ２Ｄ探索のための資源プールと関連した情報を示す“探索資源プール２（Discovery Resource Pool 2）”ＩＥを含む。両ＩＥは“資源プール周期（Resource Pool Period）”ＩＥ、ＰＵＳＣＨ領域からガード領域を除外した領域を示す“探索領域（Discovery Region）”ＩＥ、Ｄ２Ｄ探索のために割り当てられた周波数資源の個数を示す“資源ブロック（Resource Block）”ＩＥ、及びＤ２Ｄ探索のために割り当てられた時間資源の個数を示す“サブフレーム個数（Subframe Number）”ＩＥを含む。
【００７５】
また、＜表６＞を参照すると、ＴＤＤフレーム構造において、サービングセル情報ＩＥはｅＮＢがＤ２Ｄをサポートできれば、オプション１でＤ２Ｄ探索のための資源プールを示す“サブフレーム割当（Subframe Assignment）”ＩＥを含む。前述したオプション１において、サービングセル情報ＩＥはタイプ１及びオプション１でＤ２Ｄ探索のための資源プールと関連した情報を示す“探索資源プール１（Discovery Resource Pool 1）”、及びタイプ２及びオプション１でＤ２Ｄ探索のための資源プールと関連した情報を示す“探索資源プール２（Discovery Resource Pool 2）”ＩＥを含む。両ＩＥは“資源プール周期（Resource Pool Period）”ＩＥ、ＰＵＳＣＨ領域からガード領域を除外した領域を示す“探索領域（Discovery Region）”ＩＥ、及びＤ２Ｄ探索のために使用できるサブフレームのセットを示す“サブフレーム個数（Subframe Number）”ＩＥを含む。最下位ビット位置から最上位ビット位置へのビットマップは、無線フレーム内のサブフレーム＃｛２，３，４，７，８，９｝を表現する。ビット位置で値“１”は対応するサブフレームがＤ２Ｄ探索のために使用できることを示し、及び値“０”はその反対を表示する。
【００７６】
前述したオプション２において、サービングセル情報ＩＥはタイプ１及びオプション２でＤ２Ｄ探索のための資源プールと関連した情報を示す“探索資源プール１（Discovery Resource Pool 1）”ＩＥ、及びタイプ２及びオプション２でＤ２Ｄ探索のための資源プールと関連した情報を示す“探索資源プール２（Discovery Resource Pool 2）”ＩＥ ２を含む。両ＩＥは“資源プール周期（Resource Pool Period）”ＩＥ、ＰＵＳＣＨ領域からガード領域を除外した領域を示す“探索領域（Discovery Region）”ＩＥ、アップリンク送信のために予備された隣接したサブフレームの個数を示す“探索サブフレーム（Discovery Subframes）”ＩＥ、及びＤ２Ｄ探索のために使われた無線フレームの個数を示す“無線フレーム個数（Radio Frame Number）”ＩＥを含む。
【００７７】
図１５は、本発明の実施形態に係るＸ２設定手続の他の一例を示す。ステップＳ３００で、ｅＮＢ１はＸ２設定要請メッセージをｅＮＢ２に送信する。Ｘ２設定要請メッセージは＜表６＞に記述された、探索資源プール１ＩＥまたは探索資源プール２ ＩＥ、または両ＩＥを含むサービングセル情報ＩＥを含むことができる。ステップＳ３０１で、ｅＮＢ２はＸ２設定応答メッセージをｅＮＢ１に送信する。Ｘ２設定応答メッセージは＜表６＞に記述された、探索資源プール１ＩＥまたは探索資源プール２ ＩＥまたは、両ＩＥを含むサービングセル情報ＩＥを含むことができる。各ｅＮＢは受信情報に基づいてＤ２Ｄ探索のための資源プールを割り当てることができる。
【００７８】
図１６は、本発明の実施形態に係るｅＮＢ構成アップデート手続の他の一例を示す。ステップＳ３１０で、ｅＮＢ１はｅＮＢ構成アップデートメッセージをｅＮＢ２に送信する。ｅＮＢ構成アップデートメッセージは＜表６＞に記述された、探索資源プール１ＩＥまたは探索資源プール２ ＩＥ、または両ＩＥを含むサービングセル情報ＩＥを含むことができる。ステップＳ３１１で、ｅＮＢ２はｅＮＢ構成アップデート確認応答メッセージをｅＮＢ１に送信する。ｅＮＢ２はｅＮＢ１から受信された情報に基づいてＤ２Ｄ探索のための資源プールを割り当てることができる。
（２）負荷お知らせ手続を使用する方法
【００７９】
Ｄ２Ｄ探索のための資源プールを隣接するｅＮＢに知らせるために、負荷お知らせ手続が使用できる。負荷お知らせ手続の目的は、イントラ−周波数隣接するセルを制御するｅＮＢ間の負荷及び干渉調律情報を伝達するものである。
【００８０】
図１７は、本発明の実施形態に係る負荷お知らせ手続の一例を示す。ステップＳ４００で、ｅＮＢ１は負荷情報メッセージをｅＮＢ２に送信する。負荷情報メッセージは“Ｄ２Ｄ資源情報（D2D Resource Information）”ＩＥ、または“探索資源情報（Discovery Resource Information）”ＩＥを含むことができる。Ｄ２Ｄ資源情報ＩＥまたは探索資源情報ＩＥのうち、少なくとも１つを使用することによって、Ｄ２Ｄ探索のための資源プールが表示できる。
＜表７＞は、本発明の実施形態に係る負荷情報メッセージの一例を示す。
【００８１】
【表７】
0006259125.tif 000027
＜表７＞を参照すると、負荷情報メッセージは“Ｄ２Ｄ資源情報（D2D Resource Information）”ＩＥを含む。
【００８２】
Ｄ２Ｄ探索のための資源プールは、周波数、時間、周波数及び時間の組み合わせ（例えば、資源ブロック）、サブフレーム、またはこれらの組み合わせのようなパラメータにより規定できる。また、Ｄ２Ｄ探索のための資源プールはＦＤＤフレーム構造及びＴＤＤフレーム構造に対して相異するように規定できる。＜表８＞は、本発明の実施形態に係る負荷情報メッセージ内に含まれるＤ２Ｄ資源情報ＩＥの一例を示す。
【００８３】
【表８】
0006259125.tif 000028
【００８４】
＜表８＞を参照すると、Ｄ２Ｄ資源情報ＩＥはＦＤＤフレーム構造及びＴＤＤフレーム構造に対し、Ｄ２Ｄ探索のための資源領域を示す“探索資源領域（discovery Resource Area）”を含む。
【００８５】
＜表９＞は、本発明の実施形態に係る負荷情報メッセージ内に含まれたＤ２Ｄ資源情報ＩＥの他の例を示す。ｅＮＢがＤ２Ｄ探索のための資源を割り当てるためにタイプ１及び／又はタイプ２を使用することができるので、Ｄ２Ｄ探索のための資源プールに対する情報は各タイプ毎に区別されるように規定できる。同様に、ｅＮＢがＤ２Ｄ通信のための資源を割り当てるためにモード１及び／又はモード２を使用することができるので、Ｄ２Ｄ通信のための資源プールに対する情報は各モード毎に区別されるように規定できる。
【００８６】
【表９】
0006259125.tif 000029
0006259125.tif 000030
0006259125.tif 000031
【００８７】
＜表９＞を参照すると、ＦＤＤフレーム構造に対し、Ｄ２Ｄ資源情報ＩＥはタイプ１でＤ２Ｄ探索のための資源プールを示す“Ｄ２Ｄ資源プール１（D2D Resource Pool 1）”ＩＥ、及びタイプ２でＤ２Ｄ探索のための資源プールを示す“Ｄ２Ｄ資源プール２（D2D Resource Pool 2）”ＩＥを含む。両ＩＥは“資源プール周期（Resource Pool Period）”ＩＥ、Ｄ２Ｄ探索のために割り当てられた周波数資源の個数を示す“資源ブロック（Resource Block）”ＩＥ、及びＤ２Ｄ探索のために割り当てられた時間資源の個数を示す“サブフレーム個数（Subframe Number）”ＩＥを含む。
【００８８】
また、＜表９＞を参照すると、ＴＤＤフレーム構造及びオプション１に対し、Ｄ２Ｄ資源情報ＩＥはタイプ１及びオプション１でＤ２Ｄ探索のための資源プールを示す“Ｄ２Ｄ資源プール１（D2D Resource Pool 1）”ＩＥ、及びタイプ２及びオプション１でＤ２Ｄ探索のための資源プールを示す“Ｄ２Ｄ資源プール２（D2D Resource Pool 2）”ＩＥを含む。両ＩＥは“資源プール周期（Resource Pool Period）”ＩＥ、アップリンク−ダウンリンクサブフレーム構成を示す“サブフレーム割当（Subframe Assignment）”ＩＥ、Ｄ２Ｄ探索のために使われたサブフレーム個数情報を示す“サブフレーム個数（Subframe Number）”ＩＥ、及びＰＵＣＣＨを除外した、Ｄ２Ｄ探索のために割り当てられた周波数資源の個数を示す“ＰＵＳＣＨ領域（PUSCH Region）”ＩＥを含む。ＴＤＤフレーム構造及びオプション２に対し、Ｄ２Ｄ資源情報ＩＥはタイプ１及びオプション２でＤ２Ｄ探索のための資源プールを示す“Ｄ２Ｄ資源プール１（D2D Resource Pool 1）”ＩＥ、及びタイプ２及びオプション２でＤ２Ｄ探索のための資源プールを示す“Ｄ２Ｄ資源プール２（D2D Resource Pool 2）”ＩＥを含む。両ＩＥは“資源プール周期（Resource Pool Period）”ＩＥ、アップリンク送信のために予備された隣接したサブフレームの個数を示す“探索サブフレーム（Discovery Subframes）”ＩＥ、及びＰＵＣＣＨを除外した、Ｄ２Ｄ探索のために割り当てられた周波数資源の個数を示す“ＰＵＳＣＨ領域（PUSCH Region）”ＩＥを含む。
【００８９】
＜表１０＞は、本発明の実施形態に係る負荷情報メッセージの他の例を示す。ｅＮＢがＤ２Ｄ探索のための資源を割り当てるためにタイプ１及び／又はタイプ２を使用することができるので、Ｄ２Ｄ探索のための資源プールに対する情報は各タイプ毎に区別されるように表現できる。同様に、ｅＮＢはＤ２Ｄ通信のための資源を割り当てるためにモード１及び／又はモード２を使用することができるので、Ｄ２Ｄ通信のための資源プールに対する情報は各モード毎に区別されるように表現できる。
【００９０】
【表１０】
0006259125.tif 000032
【００９１】
＜表１０＞を参照すると、負荷情報メッセージは“探索資源情報（Discovery Resource Information”ＩＥを含む。＜表１１＞は、本発明の実施形態に係る負荷情報メッセージ内に含まれた探索資源情報ＩＥの一例を示す。
【００９２】
【表１１】
0006259125.tif 000033
0006259125.tif 000034
0006259125.tif 000035
【００９３】
＜表１１＞を参照すると、ＦＤＤフレーム構造に対し、Ｄ２Ｄ資源情報ＩＥはタイプ１でＤ２Ｄ探索のための資源プールを示す“探索資源プール１（Discovery Resource Pool 1）”ＩＥ、及びタイプ２でＤ２Ｄ探索のための資源プールを示す“探索資源プール２（Discovery Resource Pool 2）”ＩＥを含む。両ＩＥは“資源プール周期（Resource Pool Period）”ＩＥ、ＰＵＳＣＨ領域からガード領域を除外した領域を示す“探索領域（Discovery Region）”ＩＥ、Ｄ２Ｄ探索のために割り当てられた周波数資源の個数を示す“資源ブロック（Resource Block）”ＩＥ、及びＤ２Ｄ探索のために割り当てられた時間資源の個数を示す“サブフレーム個数（Subframe Number）”ＩＥを含む。
【００９４】
また、＜表１１＞を参照すると、ＴＤＤフレーム構造及びオプション１に対し、Ｄ２Ｄ資源情報ＩＥはタイプ１及びオプション１でＤ２Ｄ探索のための資源プールを示す“探索資源プール１（Discovery Resource Pool 1）”ＩＥ、及びタイプ２及びオプション１でＤ２Ｄ探索のための資源プールを示す“探索資源プール２（Discovery Resource Pool 2）”ＩＥを含む。両ＩＥは“資源プール周期（Resource Pool Period）”ＩＥ、ＰＵＳＣＨ領域からガード領域を除外した領域を示す“探索領域（Discovery Region）”ＩＥ、アップリンク−ダウンリンクサブフレーム構成を示す“サブフレーム割当（Subframe Assignment）”ＩＥ、Ｄ２Ｄ探索のために使用できるサブフレームのセットを示す“サブフレーム個数（Subframe Number）”ＩＥ、及びＤ２Ｄ探索のために使われた無線フレームの個数を示す“無線フレーム個数（Radio Frame Number）”ＩＥを含む。
【００９５】
ＴＤＤフレーム構造及びオプション２に対し、Ｄ２Ｄ資源情報ＩＥはタイプ１及びオプション２でＤ２Ｄ探索のための資源プールを示す“探索資源プール１（Discovery Resource Pool 1）”ＩＥ、及びタイプ２及びオプション２でＤ２Ｄ探索のための資源プールを示す“探索資源プール２（Discovery Resource Pool 2）”ＩＥを含む。両ＩＥは“資源プール周期（Resource Pool Period）”ＩＥ、ＰＵＳＣＨ領域からガード領域を除外した領域を示す“探索領域（Discovery Region）”ＩＥ、アップリンク送信のために予備された隣接したサブフレームの個数を示す“探索サブフレーム（Discovery Subframes）”ＩＥ、及びＤ２Ｄ探索のために使われた無線フレームの個数を示す“無線フレーム個数（Radio Frame Number）”ＩＥを含む。
【００９６】
また、負荷情報メッセージは“呼び出し表示（Invoke Indication）”ＩＥを含む。負荷情報メッセージ内に含まれた呼び出し表示ＩＥは、Ｄ２Ｄ探索のための資源プールの要請を示す。＜表１２＞は本発明の実施形態に係る呼び出し表示ＩＥの一例を示す：
【００９７】
【表１２】
0006259125.tif 000036
＜表１２＞を参照すると、呼び出し表示ＩＥはＤ２Ｄ資源情報を含む。
（３）資源状態報告開始手続及び資源状態報告手続を使用する方法
【００９８】
Ｄ２Ｄ探索のための資源プールを隣接するｅＮＢに知らせるために、資源状態報告開始手続及び資源状態報告手続が使用できる。資源状態報告開始は、他のｅＮＢに負荷測定値を報告することを要請するために１つのｅＮＢにより使われる。資源状態報告手続は、成功的な資源状態報告開始手続の以後にｅＮＢ２により認められた測定結果を報告するためにｅＮＢ２により開始される。
【００９９】
図１８は、本発明の実施形態に係る資源状態報告開始手続の一例を示す。ステップＳ５００で、ｅＮＢ１は指示子を含む資源状態要請メッセージをｅＮＢ２に送信する。資源状態要請メッセージを送信することによって、ｅＮＢ１はｅＮＢ２のＤ２Ｄ探索のための資源プールを要請することができる。指示子は資源状態報告開始手続をトリガリングすることをｅＮＢ２に指示することができる。ステップＳ５０１で、ｅＮＢ２は資源状態応答メッセージをｅＮＢ１に送信する。
＜表１３＞は、本発明の実施形態に係る資源状態要請メッセージの一例を示す。
【０１００】
【表１３】
0006259125.tif 000037
0006259125.tif 000038
【０１０１】
＜表１３＞を参照すると、資源状態要請メッセージは受信ｅＮＢによる周期的Ｄ２Ｄ資源状態報告を示す“報告特性（Report Characteristic）”ＩＥ、及び資源状態報告開始手続トリガーを受信ｅＮＢに指示する“指示子（Indication）”ＩＥを含む。
【０１０２】
図１９は、本発明の実施形態に係る資源状態報告手続の一例を示す。ステップＳ５１０で、ｅＮＢ２は資源状態アップデートメッセージをｅＮＢ１に送信する。資源状態アップデートメッセージはＤ２Ｄ探索のための資源プールを含むことができる。
＜表１４＞は、本発明の実施形態に係る資源状態アップデートメッセージの一例を示す：
【０１０３】
【表１４】
0006259125.tif 000039
【０１０４】
＜表１４＞を参照すると、資源状態アップデートメッセージはＤ２Ｄ探索のための資源プールを示す“Ｄ２Ｄ資源情報（D2D Resource Information）”ＩＥを含む。Ｄ２Ｄ資源情報ＩＥは＜表９＞で前述したＤ２Ｄ資源情報ＩＥでありうる。ｅＮＢがＤ２Ｄ探索のための資源を割り当てるためにタイプ１及び／又はタイプ２を使用することができるので、Ｄ２Ｄ探索のための資源プールに対する情報は各タイプ毎に区別されるように表現できる。同様に、ｅＮＢはＤ２Ｄ通信のための資源を割り当てるためにモード１及び／又はモード２を使用することができるので、Ｄ２Ｄ通信のための資源プールに対する情報は各モード毎に区別されるように表現できる。
＜表１５＞は、本発明の実施形態に係る資源状態アップデートメッセージの他の例を示す。
【０１０５】
【表１５】
0006259125.tif 000040
【０１０６】
＜表１５＞を参照すると、資源状態アップデートメッセージはＤ２Ｄ探索のための資源プールを示す“探索資源情報（Discovery Resource Information）”ＩＥを含む。探索資源情報ＩＥは＜表１１＞で前述した探索資源情報ＩＥでありうる。ｅＮＢがＤ２Ｄ探索のための資源を割り当てるためにタイプ１及び／又はタイプ２を使用することができるので、Ｄ２Ｄ探索のための資源プールに対する情報は各タイプ毎に区別されるように表現できる。同様に、ｅＮＢはＤ２Ｄ通信のための資源を割り当てるためにモード１及び／又はモード２を使用することができるので、Ｄ２Ｄ通信のための資源プールに対する情報は各モード毎に区別されるように表現できる。
【０１０７】
図２０は、本発明の実施形態に従って各ｅＮＢが相異する無線フレームの開始地点を有する場合の一例を示す。図２０を参照すると、ＦＤＤフレーム構造に対し、ｅＮＢＡ及びｅＮＢ Ｂの無線フレームの開始地点は互いに相異する。このような場合、無線フレームの開始地点を示す指示がまた指示できる。この指示子は前述した本発明に追加して前述したサービングセル情報ＩＥ内に含まれることができる。これとは異なり、前記指示子は前述した本発明に追加して前述したＤ２Ｄ資源情報ＩＥ内に含まれることができる。無線フレームの開始地点は、サブフレーム単位、スロット単位、またはシンボル単位のうちの１つにより表示できる。また、ｅＮＢの同期化はドリフトできるので、指示子は周期的に表示できる。
＜表１６＞は、本発明の実施形態に係るサービングセル情報ＩＥの一例を示す。
【０１０８】
【表１６】
0006259125.tif 000041
0006259125.tif 000042
0006259125.tif 000043
0006259125.tif 000044
0006259125.tif 000045
0006259125.tif 000046
＜表２０＞を参照すると、サービングセル情報ＩＥは無線フレームの開始地点を示す“指示子（Indication）”ＩＥを含む。
図２１は、本発明の実施形態が具現される無線通信システムを示す。
【０１０９】
第１のｅＮＢ８００は、プロセッサ（processor）８１０、メモリ（memory）８２０、及びＲＦ部（radio frequency unit）８３０を含む。プロセッサ８１０は本明細書で説明された機能、過程及び／又は方法を具現するように構成できる。無線インターフェースプロトコルの階層はプロセッサ８１０により具現できる。メモリ８２０はプロセッサ８１０と連結されて、プロセッサ８１０を駆動するための多様な情報を格納する。ＲＦ部８３０はプロセッサ８１０と連結されて、無線信号を転送及び／又は受信する。
【０１１０】
第２のｅＮＢまたはＭＭＥ９００は、プロセッサ９１０、メモリ９２０、及びＲＦ部９３０を含むことができる。プロセッサ９１０は、本明細書で説明された機能、過程及び／又は方法を具現するように構成できる。無線インターフェースプロトコルの階層はプロセッサ９１０により具現できる。メモリ９２０はプロセッサ９１０と連結されて、プロセッサ９１０を駆動するための多様な情報を格納する。ＲＦ部９３０はプロセッサ９１０と連結されて、無線信号を転送及び／又は受信する。
【０１１１】
プロセッサ８１０、９１０は、ＡＳＩＣ（application-specific integrated circuit）、他のチップセット、論理回路及び／又はデータ処理装置を含むことができる。メモリ８２０、９２０は、ＲＯＭ（read-only memory）、ＲＡＭ（random access memory）、フラッシュメモリ、メモリカード、格納媒体及び／又は他の格納装置を含むことができる。ＲＦ部８３０、９３０は、無線周波数信号を処理するためのベースバンド回路を含むことができる。実施形態がソフトウェアで具現される時、前述した技法は前述した機能を遂行するモジュール（過程、機能など）で具現できる。モジュールはメモリ８２０、９２０に格納され、プロセッサ８１０、９１０により実行できる。メモリ８２０、９２０はプロセッサ８１０、９１０の内部または外部にあることができ、よく知られた多様な手段によりプロセッサ８１０、９１０と連結できる。
【０１１２】
前述した例示的なシステムにおいて、前述した本発明の特徴によって具現できる方法はフローチャートに基づいて説明された。便宜上、方法は一連のステップまたはブロックとして説明されたが、請求された本発明の特徴はステップまたはブロックの順序に限定されるものではなく、あるステップは他のステップと前述したことと異なる順序で、または同時に発生することができる。また、当業者であれば、フローチャートに示したステップが排他的でなく、他のステップが含まれるか、またはフローチャートの１つまたはその以上のステップが本発明の範囲に影響を及ぼさず、削除できることを理解することができる。
【図１】
0006259125.tif 000047
【図２】
0006259125.tif 000048
【図３】
0006259125.tif 000049
【図４】
0006259125.tif 000050
【図５】
0006259125.tif 000051
【図６】
0006259125.tif 000052
【図７】
0006259125.tif 000053
【図８】
0006259125.tif 000054
【図９】
0006259125.tif 000055
【図１０】
0006259125.tif 000056
【図１１】
0006259125.tif 000057
【図１２】
0006259125.tif 000058
【図１３】
0006259125.tif 000059
【図１４】
0006259125.tif 000060
【図１５】
0006259125.tif 000061
【図１６】
0006259125.tif 000062
【図１７】
0006259125.tif 000063
【図１８】
0006259125.tif 000064
【図１９】
0006259125.tif 000065
【図２０】
0006259125.tif 000066
【図２１】
0006259125.tif 000067